(57)【要約】【課題】巾着袋の引締め紐や、袋口が開放された袋口を締める紐引き締め具の紐を直接持ち手とせず、緊締しても紐跡も付けずに手も傷めることなく、簡単にすばやく締めることができる環状の引き締め具を提供する。【解決手段】柔軟な伸縮性の無い素材で、筒状の締め部と締め部の調節部からなる環状体を形成し、その環状体の中に周回し、かつ環状体の周長より短い紐を通したことである。その環状体の締め部の周縁をシート体や袋口、筒口、衣類に縫合又は接着で装着したことである。または、環状体の一部を互いに係止したことである。【選択図】図２
2014151961.tif 000002
【特許請求の範囲】
【請求項１】
柔軟な伸縮性の無い素材で、筒状の締め部と締め部の調節部からなる環状体を形成し、その環状体の中に周回し、かつ環状体の周長より短い紐を通したことを特徴とする環状の引き締め具。
【請求項２】
環状体の締め部の周縁をシート体や袋口、筒口、衣類に縫合又は接着で装着したことを特徴とする請求項１記載の環状の引き締め具。
【請求項３】
環状体の一部を互いに係止したことを特徴とする請求項１又は請求項２記載の環状の引き締め具。
【発明の詳細な説明】
【技術分野】
【０００１】
本発明は、簡単にすばやく引き締めることができる環状の引き締め具に関する。
【背景技術】
【０００２】
従来、髪の毛を結束する環状のシュシュがある。シュシュは柔軟な素材の筒状の環状体の中にゴム紐などの弾性体を周回させて使われている。袋口が開放された袋体に紐引き締め具を用いて袋口を締めるときや、巾着袋では袋体の紐通し部から紐を引き出して袋口を締めると、紐が袋体の紐通し口より外に引き出されて、この引き出された紐が持ち手となる。また、風呂敷などの布体を袋状にして使用する持ち手は紐が使われている物がある。特許文献１には、ゴム状の無端絞り紐４を、一部を外部に導出させて周回させ、且つ孔を開設したストッパー５の孔に前記した導出された無端絞り紐４と記載されている。特許文献２では、袋口の縁取りには１つまたはそれ以上の引締めテープ穴が設けられて、その中に締めテ−プを通してある。そのテープ穴に通されたテープを引っ張ると、袋を閉じ、持ち手として使えると記載されている。特許文献３には布状体の両端部を残して４本の紐通し用管状部と管状部に連続して貫通された紐とで構成された折り畳み式袋物と記載されている。
【先行技術文献】
【特許文献】
【０００３】
【特許文献１】実用新案登録第３１６１８８９号公報。
【特許文献２】特願２００１−５７０５２３号公報。
【特許文献３】特開２０１１−２２９８８５号公報。
【発明の概要】
【発明が解決しようとする課題】
【０００４】
従来、髪の毛を結束する環状のシュシュがある。シュシュは環状体の中にゴムなどの弾性体を周回させることによりゴムの弾性収縮により髪を束ねている。特許文献１はリング体からゴム状の無端絞り紐を引き出しストッパーにより保持した状態ですぼめていることを特徴としている。かりに、シュシュを袋口に取り付けると、袋口に取り付けた環状体を片方に寄せて、押し広げてもゴムの弾性収縮により開いた状態を保つことができないので、常に締められた状態で物品の出し入れがしにくい。
【０００５】
袋口が開放された袋体の袋口を締める紐引き締め具や、巾着袋などの引締め紐は袋口を締めると紐が袋体の紐通し口から外に引き出され、引き出された紐が持ち手である。また、風呂敷を袋状にして使うものは紐を付けて持ち手としている。紐引き締め具も結束した後の紐を持ち手としている。特許文献２も袋口を締めるのに、締めテープを引き出し引き出された紐が直接持ち手となる。特許文献３も管状部に連続して貫通された紐を引き出してギャザーを寄せて引き出された紐を持ち手としている。持ち手が紐で形成されていると、紐が手にくい込み手が痛くなる。衣類などを紐引き締め具により緊締すると紐跡が付いてしまう。
【０００６】
本発明は上記課題を解決するために、巾着袋の引締め紐や袋口が開放された袋口を締める紐引き締め具の紐を持ち手とせず、緊締しても紐跡も付けずに手も傷めることなく、簡単にすばやく締めることができる環状の引き締め具を提供する。
【課題を解決するための手段】
【０００７】
請求項１記載の本発明の環状の引き締め具は、柔軟な伸縮性の無い素材で、筒状の締め部と締め部の調節部からなる環状体を形成し、その環状体の中に周回し、かつ環状体の周長より短い紐を通したことである。
【０００８】
請求項２記載の本発明の環状の引き締め具は、環状体の締め部の周縁をシート体や袋口、筒口、衣類に縫合又は接着で、装着したことである。
【０００９】
請求項３記載の本発明の環状の引き締め具は、環状体の一部を互いに係止したことである。
【発明の効果】
【００１０】
本発明は柔軟な伸縮性の無い素材で、筒状の締め部と締め部の調節部からなる環状体を形成し、その環状体の中に周回し、かつ環状体の周長より短い紐を通し環状の引き締め具を形成する。それを袋体に装着した袋口を開閉する締め機構で、締め部の調節部が持ち手となる袋体である。袋口の開口空間部分の大きさは環状体と紐の長さにより決定され、一定の開口を保持する事もできる。開口した袋体に物品を入れ、持ち手を持って持ち上げると物品の重さで袋口が締められ、袋口の紐が締め部の調節部に移動して、紐を外部に引き出すことなく袋口が簡単にすばやく締めることができる。紐を引き出さず締められるので紐がじゃまになることがない。また、紐が環状体の中に入っているので、袋体を持ち歩いても持ち手の紐が手に食い込み痛めることがない
【００１１】
袋口が開放された袋口を環状の引き締め具の締め部に挿通し、係止部を袋口が締めるように移動させると袋口をすばやく締めることができ、締め部の調節部が持ち手になり、袋口が開放された袋体の持ち手として活用することができる。また、締め部に衣類などを挿通し、係止部を挿通した部分を締めるように移動すると、締め部の中の紐が締め部の調節部に移動し、締め部が縮まり締まる。衣類などに紐跡も付けず、紐を直接持ち手とせずに手も痛めず持ち歩くことができる。環状の引き締め具はストッパーなどの調節部材は不要で、簡単にすばやく締められる。緊締したいときには環状体を８の字状に交差させるか紐を８の字状に周回する。または、紐を複数本周回させることにより強く緊締できる。
【図面の簡単な説明】
【００１２】
【図１】本発明の第一の実施例環状体の締め部が一方に寄せられた図
【図２】袋口の周縁に環状体の締め部を装着た図。
【図３】袋口が締められた図。
【図４】本発明の第二の実施例シート体の両側に締め部を装着した図。
【図５】栽培具に使用した図。
【図６】本発明の第三の実施例衣類に環状の引き締め具を装着した図。
【図７】本発明の第四の実施例環状体の締め部と締め部調節部の接点を互いに係止した図。
【図８】本発明の第五の実施例締め部に二重に紐を周回した図。
【図９】衣類が締められた図。
【図１０】本発明の第六の実施例二つの締め部が開いて締め部の調節部締められている図。
【図１１】二つの締め部が締められて締め部の調節部が開いている図。
【図１２】本発明の第七の実施例二つある締め部の間につなぎ部を設けた図。
【図１３】締め部に木の枝が挿通されている図。
【図１４】本発明の第八の実施例環状体の係止部で紐を交差し８の字状に周回した図。
【図１５】本発明の第九の実施例環状体の締め部と締め部調節部の接点を８の字状に交止した図。
【図１６】本発明の第十の実施例環状体に２か所の係止部の両側に締め部の調節部を設けて、２本の紐が周回した図。
【図１７】本発明の第十一の実施例環状体に２か所の係止部の両側に締め部の調節部を設けて、２本の紐が８の字状に係止部で交差して周回した図。
【図１８】袋体の袋口を締め部に挿通した図。
【図１９】本発明の第十二の実施例袋口の周縁に係止部と締め部を装着し、２つの持ち手がある図。
【図２０】本発明の第十三の実施例図１７の環状体の係止部に引き手を付けた図。
【発明を実施するための形態】
【００１３】
以下、本発明の環状の引き締め具の実施形態を図を参照して説明する。
図１〜図３は本発明の第一の実施例を示す。図１の環状の引き締め具１となる筒状の環状体２は、柔軟な伸縮性の無い素材で不織布や布、合成樹脂シ−ト、天然繊維、丈夫な紙等使用目的により素材を選んで形成し、筒状の環状体２に環状体の周長より短い周回する紐３の両端を結束しリング状にして環状体１の中に通す。環状体２を形成する方法は縫製でも接着でもよいが、下記形態は縫製による方法で記載する。筒状の環状体２は使用目的により大きさを決め、テープ状の素材を紐３が通りやすい幅にして、中にリング状の紐３を周回させて筒状の環状体２を形成し、締め部Ａと締め部の調節部Ｂより構成する。環状体２の中を周回する紐３の周長は、締め部Ａのヒダが寄せられて縮められた中に通る紐３の長さに、締め部の調節部Ｂの環状体２と同じ紐３の長さを加えた長さとする。また、一定の開口を保持するときには、締め部Ａの開口空間部分の大きさを保つ紐３の長さに、締め部の調節部Ｂの環状体２と同じ紐３の長さを加えて周回する紐３の長さとする。環状体２と紐３が沿う部分の残りを一方に移動すると、移動した環状体２はヒダが寄せられて縮み、中の紐３は小さな円弧の紐３になる。ヒダが寄せられ縮められた環状体２を締め部Ａとし、残りの環状体２と同じ紐３の長さの部分を締め部の調節部Ｂとする。環状の引き締め具１は使う目的により環状体２と紐３の長さを決める。紐３の代わりにテープでもよく作り方は目的に合った方法でよい。
【００１４】
図２は図１の環状の引き締め具１を形成し、底部が縫い合わされ上部が開放した袋口４の周縁に締め部Ａの周縁を縫合または接着で装着した袋体５である。締め部Ａの環状体２を袋口４が開けられるように締め部の調節部Ｂに移動すると、袋口４にヒダが寄せられて縮んでいた袋口４が伸び、中の紐３は締め部の調節部Ｂの紐３が移動して袋口４と同じ紐３の長さになる。締め部の調節部Ｂは環状体２にヒダがより縮み、中の紐３は小さな円弧になり袋口４が開く。図３は図２の袋口４を締めた図である。袋口４を締めるには、締め部の調節部Ｂの環状体２を袋口４に締めるように移動するとヒダが寄せられて縮み、中の紐３は小さな円弧になり、締め部の調節部Ｂの環状体２が伸び、締め部Ａの中の紐３が締め部の調節部Ｂに移動して環状体２と同じ紐３の長さとなる。締め部の調節部Ｂが持ち手となり持ち手付き袋体４となる。袋口４の開口空間部分の大きさは環状体２と紐３の長さにより決定され、一定の開口を保持する事もできる。開口した袋体に物品を入れ、袋体５の持ち手を持って持ち上げると物品の重さで袋口４が締められ、袋口の紐が締め部の調節部に移動して、紐を外部に引き出すことなく袋口が簡単にすばやく締めることができる。紐を引き出さずに締められるので紐がじゃまになることがない。また、紐が環状体の中に入っているので、袋体を持ち歩いても持ち手の紐が手に食い込み痛めることがない。デザインにより環状の引き締め具１を形成せずに、袋体５と一体として形成してもよい。
【００１５】
図４、図５は本発明の第二の実施例を示す。図４はシート体６の一方に環状の引き締め具１aに締め部Ａaを装着し、他方の環状の引き締め具１ｂに締め部Ａｂを装着して形成したものである。環状体２aの中に紐３aを周回させ、環状体２ｂの中に紐３ｂを周回させる。紐３a、３ｂの長さは一定の開口を保持できる長さとする。今までは引締め紐により開口の大きさを決めていたが、環状の引き締め具１を形成し、シート体６に装着する事で環状体２と紐３の長さで一定の開口を保持できる。図５は図４を栽培具７に使用したものである。環状の引き締め具１aに桁１０aを通し環状の引き締め具１ｂに桁１０bを通しての栽培の利用である。一定の開口を保持した栽培具７に培養土８を入れて地上で長いも、自然薯等の根菜類９を栽培することができる。
【００１６】
図６は本発明の第三の実施例を示す。図１の環状の引き締め具１a、１bを形成し、締め部の調節部Ｂa、Ｂｂを肩紐１１として衣類１２の身ごろに装着する。環状体２a、２ｂの締め部Ａa、Ａｂの脇下部分を縮めると、衣類１２に締め部Ａを装着した部分が縮まり、肩紐１１となる締め部の調節部Ｂa、Ｂｂは環状体２a、２ｂと中の紐３a、３ｂの長さが同じになる。着用時には衣類１２が体にフィットする。
【００１７】
図７は本発明の第四の実施例を示す。締め部Ａと縮め部の調節部Ｂの接点を縫合や接着で係止し、係止した部分を係止部１３とする。係止部１３を設けることで、締め部Ａに開口された袋口４を挿通し締めると袋口４が締まる。また、衣類１２を締め部Ｂに挿通し締め部Ｂを締めると、衣類１２を持ち歩く時の環状の引き締め具１として使える。係止部１３は環状体２の中の紐３を縫いつけずに、紐が自由に移動できる位置を係止する。係止部１３を締め部Ａが縮めるように移動すると、移動した環状体２のヒダが寄せられ縮み、中の紐は小さな円弧になり締められる。締め部の調節部Ｂは環状体２と紐３が沿った形状になる。
【００１８】
図８、図９は本発明の第五の実施例を示す。環状体２の係止部１３を筒状に形成し、環状体２の中に環状体の周長よりも短い紐３を通す。紐３は係止部１３の一方に周回した紐が係止部１３を通って、他方にその紐を二周回した環状の引き締め具１である。二周回した紐３の環状体２を締め部Ａとし、一周の紐３の環状体２を締め部の調節部Ｂとすることで、係止部１３を締め部Ａが締められるように移動すると、締め部Ａに挿通した物品を締めることができる。図９は図８の締め部Ａに衣類１２を挿通し、係止部１３を衣類１２が締められるように移動すると、締め部の調節部Ｂは環状体２と同じ紐３の長さとなり、挿通した衣類１２は環状体２のヒダが寄せられ縮み、中の紐は小さな円弧になり締まる。係止部１３を移動することで挿脱が簡単にでき、衣類１２に紐跡も付けず、紐３を直接持ち手とせずに手も痛めず持ち歩くことができる。環状の引き締め具１はストッパーなどの調節部材は不要で、簡単に手間も要さず締めることができる。
【００１９】
図１０、図１１は本発明の第六の実施例を示す。図１０は、環状体２に締め部の調節部Ｂと締め部Ａaと締め部Ａbの係止部１３を筒状に形成し、一対の締め部Ａa、Ａbを設けた環状の引き締め具１である。環状体２の中に紐３を締め部の調節部Ｂから締め部Ａaに周回し係止部１３を通って締め部Ａbに周回する。締め部の調節部Ｂの環状体２のヒダが寄せられ縮み中の紐３は小さな円弧になり、締め部Ａaと締め部Ａｂは環状体２と同じ紐３の長さになる。二つの締め部Ａa、Ａｂがあることで緊締できる。図１１は、係止部１３を締め部Ａaと締め部Abが締められるように移動すると、締め部Ａaと締め部Abのそれぞれの環状体２a、２bはヒダが寄せられ縮んで閉じる。中は小さな円弧の紐３a，３bになる。縮んでいた締め部の調節部Ｂの環状体２は伸びて環状体２と同じ紐３の長さになる。
【００２０】
図１２、図１３は本発明の第七の実施例を示す。図１２は、環状体２に締め部Ａaと締め部Abの間につなぎ部１４を設け、紐３aと紐３bを周回させた環状の引き締め具１である。一方の締め部Ａaに紐３aを周回させその紐３aがつなぎ部１４を通って締め部の調節部Ｂに周回する。もう一本の紐３bは他方の締め部Ａbに周回しつなぎ部１４を通って締め部の調節部Ｂに周回する。締め部の調節部Ｂとつなぎ部１４の環状体２の中を紐３a、３bが通る。締め部Ａaと締め部Abの間につなぎ部１４があることで安定して緊締できる。図１３は、締め部Ａa、Ａbに木の枝１５を挿通したもので、締め部Ａaと締め部Ａbの間につなぎ部１４があると、木の枝１５のように長い物を持ち歩くときに安定して持ち運べる。
【００２１】
図１４は本発明の第八の実施例を示す。筒状の環状体２の係止部１３を筒状に形成し、その中に締め部Ａを周回した紐３が８の字状に係止部１３で交差し、締め部の調整部Ｂを周回する環状の引き締め具１である。係止部１３を締め部Ａが締めるように移動すると、締め部Ａの環状体２のヒダが寄せられ縮み中は小さな円弧の紐３になり、締め部の調節部Ｂは環状体２と同じ紐３の長さになる。紐３を８の字状に周回することでよく締まる。
【００２２】
図１５は本発明の第九の実施例を示す。図１の環状の引き締め具１を形成し、環状体２を締め部とＡと締め部の調節部Ｂの接点を８の字状に交差させ、交差部分を紐３が自由に移動できるように交止する。交止した部分を係止部１３とする。環状体１の中に周回している紐３は、交止により紐３が８の字状になる。係止部１３を締め部Ａが締めるように移動すると、締め部Ａの紐３が締め部の調節部Ｂに移動して締め部の調節部Ｂは環状体２と同じ紐３の長さになり締められる。
【００２３】
図１６は本発明の第十の実施例を示す。環状体２に２か所の筒状の係止部１３a、１３bを左右対称の位置に設け、２本の紐３a、３bを通す。環状体２の中に１本の紐３aを一方の締め部の調節部Ｂaから締め部Ａに周回し、もう一方の紐３bは他方の締め部の調節部Ｂbから締め部Ａに周回する。２つの締め部の調節部Ｂa、Ｂbがあることで安定して持ち歩くことができ、また、締め部Ａに２本の紐３a，３bが周回しているので緊締できる。
【００２４】
図１７、図１８は本発明の第十一の実施例を示す。環状の引き締め具１を形成し、環状体２に２か所の筒状の係止部１３a、１３bを左右対称の位置に設け、２本の紐３a、３bを通す。環状体２の中に１本の紐３aを一方の締め部の調節部Ｂaから締め部Ａに８の字状に係止部１３aで交差し周回する。もう一方の紐３bは他方の締め部の調節部Ｂbから締め部Ａに８の字状に係止部１３bで交差し周回する。２つの締め部の調節部Ｂa、Ｂbがあることで安定して持ち歩くことができ、また、締め部Ａに２本の紐３a，３bが周回しているので緊締できる。図１８は、締め部Ａに袋口４を挿通し締め部の調節部Ｂa、Ｂｂを引くと締め部Ａに挿通した袋体５の袋口４を緊締し締め部の調節部Ｂa、Ｂbが持ち手となる。２つの持ち手でしっかり袋体５を持ち歩くことができる。
【００２５】
図１９は本発明の第十二の実施例を示す。図１７の環状の引き締め具１を形成し、底部が縫い合わされ上部が開放した袋口４の周縁に係止部１３と締め部Ａの周縁を装着した袋体５である。袋体５に物品を入れ、持ち手となる締め部の調節部Ｂa、Ｂbを持って持ち上げると物品の重さで袋口４が締められ、袋口の紐３が締め部の調節部Ｂa、Ｂｂに移動して、紐を外部に引き出すことなく袋口４が簡単にすばやく締めることができる。紐３a、３ｂを引き出さずに締められるので紐３a、３bがじゃまになることがない。また、２つの持ち手でしっかり袋体５を持ち歩くことができる。紐３a、３ｂが環状体の中に入っているので、袋体５を持ち歩いても持ち手の紐が手に食い込み痛めることがない。デザインにより環状の引き締め具１を形成せずに、袋体５と一体として形成してもよい。
【００２６】
図２０は本発明の第十二の実施例を示す。図１７の環状体２の係止部１３が移動しやすいように引き手１６を取り付けた環状の引き締め具１である。引き手１６にはリング状の紐３やテープを縫い付けるか、あるいは装飾用のリボンや飾り物を取り付けてもよい。引き手１６を付けることで開閉が容易になる。引き手１６は環状の引き締め具１の係止部１３であれば形状に関係なく取り付けてもよい。
【符号の説明】
【００２７】
Ａ    締め部
Ｂ    締め部の調節部
１    環状の引き締め具
２    環状体
３    紐
４  袋口
【図１】
2014151961.tif 000003
【図２】
2014151961.tif 000004
【図３】
2014151961.tif 000005
【図４】
2014151961.tif 000006
【図５】
2014151961.tif 000007
【図６】
2014151961.tif 000008
【図７】
2014151961.tif 000009
【図８】
2014151961.tif 000010
【図９】
2014151961.tif 000011
【図１０】
2014151961.tif 000012
【図１１】
2014151961.tif 000013
【図１２】
2014151961.tif 000014
【図１３】
2014151961.tif 000015
【図１４】
2014151961.tif 000016
【図１５】
2014151961.tif 000017
【図１６】
2014151961.tif 000018
【図１７】
2014151961.tif 000019
【図１８】
2014151961.tif 000020
【図１９】
2014151961.tif 000021
【図２０】
2014151961.tif 000022